(57)【特許請求の範囲】
【請求項１】
液体容器用の密閉キャップであって、前記密閉キャップは、注出口（１１）と、少なくとも１つの発出体を受け取る受取体積（２０）を前記密閉キャップと共に形成する受取要素（８）を含み、
前記密閉キャップが開閉可能であり、それゆえに前記受取体積（２０）に通じた入り口（２）であって前記少なくとも１つの発出体を前記受取体積（２０）に導入又は前記受取体積（２０）より除去するための入り口（２）が形成され、前記受取要素（８）は前記少なくとも１つの発出体が液体と接触するのを許容するために、液体に対して透過性であり、
前記密閉キャップと接続している密閉要素（１、２３）であって前記入り口（２）を液密密閉又は密閉解除するための密閉要素（１、２３）が更に備えられており、
前記注出口（１１）内にはマウスピース（７）であって、液体が前記受取要素（８）を介して前記受取体積（２０）に入り込まないように密閉位置で前記受取要素（８）を液密に密閉すると共に、液体が前記受取要素（８）、前記受取体積（２０）、及び前記マウスピース（７）を通過するように、開放位置で前記受取要素（８）を開放するマウスピース（７）が、中空体として形成されていることを特徴とする、密閉キャップ。
【請求項２】
前記マウスピース（７）が前記受取要素（８）に面した側において密閉され、それゆえに液体が前記マウスピース（７）の密閉状態で前記受取要素（８）を介して前記マウスピース（７）に流れ込まず、前記マウスピース（７）は前記受取体積（２０）内へ突き出ている他の部分において少なくとも１つの開口部（１５）を有し、それゆえに液体が前記受取体積（２０）より前記マウスピース（７）へ流れ込むことを特徴とする、請求項１に記載の密閉キャップ。
【請求項３】
前記マウスピース（７）が前記受取要素（８）に対して滑り軸に沿って移動可能であることを特徴とする、請求項１又は２に記載の密閉キャップ。
【請求項４】
前記マウスピース（７）を少なくとも部分的に取り囲むバッフル板（１４）であって、液体が前記マウスピース（７）の開放位置で前記受取体積（２０）より前記マウスピース（７）へ流れ込む前記マウスピース（７）の少なくとも１つの開口部（１５）よりも前記受取要素（８）の方に位置するバッフル板（１４）を、前記受取体積（２０）内に配置することを特徴とする、請求項１〜３の何れか一項に記載の密閉キャップ。
【請求項５】
前記マウスピース（７）が、前記受取体積（２０）の縁に配置されていることを特徴とする、請求項１〜４の何れか一項に記載の密閉キャップ。
【請求項６】
前記受取要素（８）が平面として形成されていることを特徴とする、請求項１〜５の何れか一項に記載の密閉キャップ。
【請求項７】
前記密閉要素（１）が密閉キャップの外装表面（３）の一部として形成され、前記入り口（２）を密閉することを特徴とする、請求項１〜６の何れか一項に記載の密閉キャップ。
【請求項８】
前記入り口（２）及び前記受取体積（２０）に対応する収納要素であって、前記入り口（２）を介して前記受取体積（２０）内に導入され前記受取要素（８）上に置かれる、発出体のための引き出し可能な収納要素を含むことを特徴とする、請求項１〜７の何れか一項に記載の密閉キャップ。
【請求項９】
前記密閉要素（１）が密閉キャップの外装表面（３）に沿って移動可能な滑動部として形成されていることを特徴とする、請求項１〜８の何れか一項に記載の密閉キャップ。
【請求項１０】
前記滑動部が少なくとも１つのプロファイル・レール（６）によって密閉キャップに対して移動可能であることを特徴とする、請求項９に記載の密閉キャップ。
【請求項１１】
前記滑動部が密閉キャップの全周囲を取り囲むことを特徴とする、請求項９又は１０に記載の密閉キャップ。
【請求項１２】
前記滑動部がシリンダー・ジャケットとして形成されていることを特徴とする、請求項１１に記載の密閉キャップ。
【請求項１３】
前記滑動部が密閉状態で、密閉キャップの前記滑動部の滑り軸に対して垂直に伸びている密閉縁（４）に嵌まることを特徴とする、請求項９〜１２の何れか一項に記載の密閉キャップ。
【請求項１４】
前記滑動部を前記密閉縁（４）上に被せ前記密閉縁（４）に嵌め込んだ後に前記入り口（２）を液密に密閉するために、前記滑動部が弾性材料からなることを特徴とする、請求項１３に記載の密閉キャップ。
【請求項１５】
前記滑動部の滑り軸及び前記マウスピース（７）の滑り軸が平行に伸びていることを特徴とする、請求項９〜１４の何れか一項に記載の密閉キャップ。
【請求項１６】
前記密閉要素（２３）をネジ山で前記密閉キャップのベース部（２４）と捩じり付けることを特徴とする、請求項１〜８の何れか一項に記載の密閉キャップ。
【請求項１７】
前記密閉要素（２３）が前記マウスピース（７）が形成されている前記注出口（１１）を含み、前記ベース部（２４）が前記受取要素（８）を含むことを特徴とする、請求項１６に記載の密閉キャップ。
【発明の詳細な説明】
【技術分野】
【０００１】
本発明は液体容器、望ましくはボトル、より望ましくはＰＥＴボトル付着用の密閉キャップ、望ましくはネジ蓋に関し、前記密閉キャップは注出口、望ましくは再密閉可能な注出口と、少なくとも１つの発出体、例えば少なくとも１つのタブレットを受け取る受取体積を前記密閉キャップと共に形成する受取要素を含み、密閉キャップが開閉可能であり、それゆえに前記受取体積に通じた入り口であって少なくとも１つの発出体を前記受取体積に導入又は前記受取体積より除去するための入り口が形成され、前記受取要素は前記少なくとも１つの発出体が液体と接触するのを許容するために、液体に対して透過性であり、また、密閉キャップと接続している密閉要素であって前記入り口を液密密閉又は密閉解除するための密閉要素が備えられている、密閉キャップに関する。
【背景技術】
【０００２】
路上で又はスポーツの際に液体を摂取するための飲料ボトル、特に密閉キャップ付き飲料ボトルは、幾つかが知られている。それら飲料ボトルは、通常、密閉キャップが捩じり付けられるネジ山を有する。ネジ山は標準化され、飲料ボトル用の標準化ネジ山の種類の数は少ない。一方、ボトルは、例えば香味料が添加され得るミネラル水、又はスポーツドリンクを事前に詰めたものであっても良い。他方、使用者が任意に混ぜた液体を摂取するためのボトルであっても良い。この場合、果汁シロップの他に、発泡性粉末又は発泡性タブレットが利用可能である。
【０００３】
いずれの場合も、使用者は飲料の消費時、つまり飲料の消費開始から消費終了までの間、一つの特定の混合飲料に限られていて不利である。言い換えれば、ボトルに残った液体には事前に選択した香味料以外含まれていないため、使用者は飲料の消費時に香味をもはや変えることができない。
【０００４】
なお、消費開始から消費終了までの間に香味について欲求が変わる他に、使用者がしばらくスポーツをした後に、例えばスポーツドリンク以外を飲みたがることもある。しかしこの場合、ボトルに残った液体では、同様に、スポーツドリンク以外を飲むことができない。
【０００５】
従来の発泡性粉末の不完全な溶解は、準最適な投与、特に発泡性粉末又はタブレットの過密に起因する。適切な投与量の確保は、通常、粉末又はタブレットを液体（通常は水）と混合する際、液体の具体的な存在量を考慮しなければならないため、必ずしも簡単とは限らない。
【０００６】
これらの不利益は、ＵＳ２０１０／００１２１９３Ａ１の開示により少なくとも部分的に改善できる。当該文献には、３個の部品、つまりタブレット容器、容器蓋、及び密閉キャップで形成した密閉キャップ付き液体容器が記載されている。タブレットをタブレット容器内に導入するために、容器蓋をまず捩じり外して、その次に再び捩じり付けなければならない。不利なことに、容器蓋を落としたり、失くしたりする可能性がある。
【０００７】
ＰＣＴ／ＥＰ２０１３／０７１２７６には、液体容器、望ましくはボトル、より望ましくはＰＥＴボトル付着用の密閉キャップ、望ましくはネジ蓋であって、前記密閉キャップは注出口、望ましくは再密閉可能な注出口と、少なくとも１つの発出体を受け取る受取体積を前記密閉キャップと共に形成する受取要素を含み、密閉キャップが開閉可能であり、それゆえに前記受取体積に通じた入り口であって少なくとも１つの発出体を前記受取体積に導入又は前記受取体積より除去するための入り口が形成され、前記受取要素は前記少なくとも１つの発出体が液体と接触するのを許容するために、液体に対して透過性であるものが示されている。また、密閉キャップには、当該入り口を液密に密閉又は密閉解除するための、密閉キャップと接続している密閉要素が更に備えられている。このように、前記不利を回避しながら香味料及び／又は栄養素及び／又は栄養補助食品及び／又は医療用化合物を液体容器に含有可能な液体に混合することができる。この際、前記少数の異なる標準化ネジ山毎に密閉キャップを提供することができ、それゆえに任意の種類のボトルを少数の密閉キャップと使用できる。発出体の導入時、密閉キャップの一部又は密閉キャップ自体は失われない又は落とされない。密閉キャップは、香味料及び／又は栄養素及び／又は栄養補助食品を容易に変更可能にすることを特徴とする。部分的に溶解された発出体は、密閉キャップ付きボトルより再び除去できる。投与に関する困難、特に液体に含有する香味料及び／又は栄養素及び／又は栄養補助食品の過密を回避する。
【０００８】
ＰＣＴ／ＥＰ２０１３／０７１２７６に記載の密閉キャップの受取体積は、密閉キャップが液体容器に付着した時に液体容器、例えばボトルに面して開放されるため、ボトルが水平方向に向いている場合、液体がボトルより受取体積へ侵入し発出体を溶解してしまう恐れがある。
【発明の概要】
【０００９】
従って本発明のひとつの課題は、飲料の非消費時に受取体積への液体侵入を防ぐ、液体容器用密閉キャップを提供することである。
【００１０】
この課題は、液体容器、望ましくはボトル、より望ましくはＰＥＴボトル付着用の密閉キャップ、望ましくはネジ蓋において、注出口、望ましくは再密閉可能な注出口と、少なくとも１つの発出体、例えば少なくとも１つのタブレットを受け取る受取体積を前記密閉キャップと共に形成する受取要素を含み、密閉キャップが開閉可能であり、それゆえに前記受取体積に通じた入り口であって少なくとも１つの発出体を前記受取体積に導入又は前記受取体積より除去するための入り口が形成され、また、密閉キャップと接続している密閉要素であって当該入り口を液密密閉又は密閉解除するための密閉要素が備えられている密閉キャップであって、前記受取要素は前記少なくとも１つの発出体が液体と接触するのを許容するために、液体に対して透過性であるものによって解決される。本発明によると、液体が受取要素を通過し受取体積内に流入しないように密閉位置で受取要素を液密に密閉し、液体が受取要素、受取体積及びマウスピースを通過する（又は通過しマウスピースより外側へ流出する）ように開放位置で受取要素を開放するマウスピースが、中空体として注出口内に形成されている。
【００１１】
従って、マウスピースは、一方では開放位置で密閉キャップより液体を採取するためであって、他方では密閉位置で受取体積及びそれに含有される水溶性の発出体を密閉キャップが付着した液体容器に対し密閉するために使用される。
【００１２】
本発明による密閉キャップは、望ましくは、どの標準化水ボトルにもフィットするネジ蓋に関し、つまり、少数の異なる密閉キャップで少数の異なる標準化ネジ山を使用できる。密閉キャップは、望ましくは移動により密閉キャップの注出口を塞ぎロック位置又は密閉位置より解除位置又は開放位置へ移動するマウスピースを備えている。
【００１３】
密閉要素が、受取体を受取体積内に位置又は受取体積内より除去する簡便及び迅速な機会を与えることが見いだされている。接続のおかげで、密閉要素が不注意に落とされないことを確保できる。その結果、使用者は、密閉キャップの開放時に密閉要素を何処に置くか悩むことなく、密閉要素が床に落ちて汚れるという不快な状況も回避できる。密閉要素は、例えば容易に折り畳み得る密閉キャップの上部、又は横方向に折り畳んで開ける扉として構成しても良い。これら形態の選択肢は、簡便及び迅速な受取体積及び発出体へのアクセスを提供するゆえに、簡便及び迅速に交換、導入、又は除去できる点で共通している。
【００１４】
密閉要素の開放及び特に密閉は、過程として専念する必要なく簡便及び迅速に提供され得る。
【００１５】
マウスピースは、液体がマウスピースの密閉状態で受取要素を通過してマウスピースに流れ込まないために、受取要素に面した側（特にマウスピースが受取要素と嵌まる領域）で閉じられても良く、液体が受取体積よりマウスピースへ流れるために、マウスピースが受取体積内に突き出る別の部分で少なくとも１つの開口部を有しても良い。
【００１６】
このように、液体は、密閉位置で液体容器よりマウスピースを介して密閉キャップを通過できない。従って、運ばれる場合もスポーツ中に使用者に携行される場合も、本発明の密閉キャップを取り付けた液体容器は、密閉位置で発出体と接触せずに液体容器に含有する液体を安全に貯蔵できる。液体がマウスピースを介して受取体積及び密閉キャップを通過できるのは開放位置のみで、その結果、発出体は（一層）溶解し、使用者は液体を飲むことができる。
【００１７】
一つの実施形態では、マウスピースは滑り軸に沿って受取要素に対し移動可能であっても良い。その際、滑り軸は、密閉キャップ又は（ボトルの）液体容器の縦軸と平行であっても良い。
【００１８】
受取体積内に、マウスピースを少なくとも部分的に取り囲み、マウスピースが開放位置に位置する時に受取体積よりマウスピースに液体を流入させるマウスピースの開口部よりも受取要素の方に位置するバッフル板が構成されても良い。
【００１９】
従って、液体容器より密閉キャップへ流れる液体は、ことによると受取体積に含有する発出体を濯ぎ流さずに直接マウスピースの開口部へ流れてしまうことを防がれる。液体は、マウスピースへ戻るために、バッフル板を迂回して受取体積経由の回り道をせざるを得ない以上、発出体を濯いで少なくとも部分的に溶解する。バッフル板は、例えばマウスピースの滑り軸に対して垂直に配置しても良い。バッフル板は、最も単純な場合は平板として構成しても良い。それは多くの場合、受取体積内にどの程度突き出ても良い。発出体はバッフル板上にあっても良い。また、発出体は、通常では受取体積の形に調整されていると同様に、バッフル板の形に調整されても良い。
【００２０】
受取体積内に最小限突き出て発出体からの最小限のスペースを取るために、マウスピースは受取体積の縁に配置しても良い。例えば、マウスピースは密閉キャップの外装表面に直接位置させても良い。多くの場合、マウスピースは任意の位置、例えば密閉キャップの中心に位置しても良い。
【００２１】
受取要素は、望ましくは、平面として配置されている。それは非常に簡便で安価な実施形態を与える。
【００２２】
通常、受取要素は完全に密閉キャップにより形成した体積に納まっている。この「体積」とは、一方では密閉キャップ、他方では密閉キャップの縁により規定されている仮想的な表面領域により規定されている体積のことを云う。実際には当該仮想的な表面領域には、密閉キャップを液体容器と接続するための、望ましくは捩じり付けるための材料は存在しない。つまり、密閉キャップとの接触は、使用者が飲料を摂取する際に行うような、ボトルを捩じる時しか起きらない。
【００２３】
本発明による密閉キャップの更なる実施形態では、密閉要素は旋回可能である。その旋回可能な密閉要素が、発出体を受取体積内に位置又は受取体積より除去する簡便及び迅速な機会を与えることが見出された。ここで、「旋回可能」とは、密閉要素（実際は、密閉要素が密閉キャップと接続されたままであるため、密閉要素の一部のみ）を密閉キャップより取り外して、受取体積へアクセスさせ発出体を受取体積内に位置又は受取体積より除去させる開口部が形成される程度に、少なくとも部分的に取り外し可能にすることを云う。従って、「旋回可能」は、例えば密閉要素を落とさずに発出体を導入するために、密閉要素を入り口が密閉された位置よりそらした後に、簡便に入り口が密閉される位置に戻すことが出来るとの意味である。
【００２４】
本発明による密閉キャップの更なる実施形態では、密閉要素は、ヒンジ状の接続要素によって接続されている。ヒンジ状の接続要素は、薄いウエッブ又は一つ又は幾つかの固定したヒンジ又は可撓プラスチック片又はそれ以外の適切な要素であっても良い。このように、例えば、ヒンジは受取体積に通じる入り口を簡便に開放させるのみならずガイドも提供し、このガイドにより、密閉時に密閉運動がヒンジに案内され、外部より作用する力だけでも入り口を正確に閉めることが出来るため、使用者は、密閉運動に集中しなくても良い。従って、使用者は、入り口の閉め方、及び密閉キャップの他の部分に対しての密閉要素の付け方等に気を付けなくて良い。
【００２５】
本発明による密閉キャップの実施形態では、密閉要素が密閉キャップの外装表面の一部として構成され、稼働位置で入り口を密閉する。この際、密閉要素は横方向、上方、又は下方に折り畳める弁として形成しても良い。これは、密閉要素が密閉状態にあるとき密閉要素の位置で液体が漏出することを防ぎ、密閉要素が開放状態にあるとき発出体を簡便及び迅速に位置するために受取体積へアクセスさせるので、簡便及び見事な解決策を与え、特定の状況によって望まれずに開くことが回避される。
【００２６】
このために必要な力は、望ましくは、例えばカバンの中で密閉キャップと他の物との摩擦によってマウスピースが不注意に開放してしまわないように、計算される。但しこのことにより、上方に開口する密閉要素のマウスピースにおいては、当該上方への引っ張り力によって不注意な開放が起こり得る。しかしこれは、外装表面の一部として構成される密閉要素の実施形態では予防される。
【００２７】
本発明による密閉キャップの更なる実施形態では、密閉キャップは、２個の部品からなって、第一部品は液体容器に固定するネジ山、第二部品は注出口を含み、第二部品は密閉要素を形成している。この２部品型の実施形態のおかげで、受取要素に発出体を位置するのが極めて簡便である。第一部品から第二部品への遷移部が、密閉キャップの水平な分割であり得る。密閉キャップの特に簡便な実施形態では、密閉キャップの遷移部の領域は円筒状である。これは、簡便で安価な実施形態である。
【００２８】
受取体積を極めて簡便に充填することは、発出体のための取出可能な収納要素であって、入り口及び受取体積に対応し、開放状態の入り口を介して受取体積内に導入でき、受取要素上に位置させることができる収納要素を密閉キャップに備えることによって実現する。つまり、受取体積を充填するために、収納要素を開放状態の入り口から引き出し、受取要素内に少なくとも１つの発出体を収納し、収納要素を開放状態の入り口を介して受取体積内に再び押し入れる。この実施形態の更なる利点は、例えば受取体積に既に部分的に溶解された発出体をより簡単に除去できることである。
【００２９】
本発明による密閉キャップの更なる実施形態では、第二部品の外装表面上に密閉キャップの半径方向に内部へ向く局部変形があるゆえに、稼働位置で局部変形により第一部品に圧力が与えられ、両部品がお互いに締め付けられる。当該変形は円筒状受取体積の半径方向に内部へ向いている。このように、例えばしっかり吸うことによって飲料用の開口部が開くマウスピースが付いた密閉キャップにおいて、密閉部が不注意に開口部と共に開いてしまうのを妨げる。
【００３０】
しかし、密閉要素の好適実施形態は、密閉キャップの外装表面に沿って移動可能な滑動部として構成されている。当該滑動部は、例えば密閉キャップの縦軸と平行方向、又は縦軸に対して垂直な密閉キャップの円周方向に移動可能であっても良い。滑動部は、実質的に密閉キャップの外装表面の長方形断面に対応しても良い。
【００３１】
滑動部として構成した密閉要素では、滑動部は、プロファイル・レールで密閉キャップに対して移動可能であり得る。従って、滑動部の向かい合う側（例えば、縦端又は横端にて、又はその付近）毎に、お互い平行に伸び、密閉キャップの窪みにて対応の輪郭でガイドされている、一つ以上のプロファイル・レールを配置しても良い。また逆に、密閉キャップの入り口の外側に、少なくとも二つのお互い平行な、対応する密閉要素の窪みと嵌まり合うプロファイル・レールを備えて良い。プロファイル・レールの輪郭は、いずれの場合も、例えばテーパーを有し、それゆえにプロファイル・レールを窪みからそれが縦に伸びている方向に対して垂直に引き抜くことができない。
【００３２】
密閉キャップの全周囲を取り囲む滑動部を伴う密閉キャップは特に好ましい。それは、滑動部が閉じた形のおかげで変形に対する張力を有するゆえに、受取体積に通じる入り口を良く密閉できるという利点を提供する。この滑動部は、例えばシリンダー・ジャケットとして構成しても良い。密閉キャップの全周囲を取り囲む滑動部は、本発明によるマウスピース付きの密閉キャップにおいてのみならず、ＰＣＴ／ＥＰ２０１３／０７１２７６（図１８〜２３参照）において密閉キャップ周囲の一部のみを取り囲む滑動部の代わりに採用しても良い。
【００３３】
滑動部は、密閉状態で、滑動部の滑り軸に対して垂直に伸びている密閉キャップの密閉縁に嵌め込んでも良い。また、密閉縁上に被せ密閉縁に嵌め込んだ後に入り口を液密に密閉するために、滑動部が弾性材料からなっていても良い。
【００３４】
滑動部の滑り軸やマウスピースの滑り軸は、お互い平行に伸びても、同一のものですらあっても良い。
【００３５】
滑動部としての密閉要素を採用する実施形態の代案として、密閉要素を密閉キャップのベース部とネジ山により捩じり付けても良く、これは密閉キャップの入り口を特に液密に密閉することができる。このために、例えば密閉要素やベース部はお互いに対応するネジ山を有している。例えば、ベース部の外面にネジ山、密閉要素の内面に適合したネジ山を構成しても良い。また逆に、当然ながら、ベース部の内面にネジ山、密閉要素の外面にネジ山を構成しても良い。
【００３６】
この実施形態では、密閉要素は帽状であっても良い。このように、例えば円筒状で液体容器と接続可能なベース部と、前記密閉キャップを密閉する密閉要素を含み、実質的に２部品型密閉キャップが得られる。
【００３７】
ここで、密閉要素はマウスピース付きの注出口を含み、ベース部は前記受取要素を含んでも良い。ベース部は更に、密閉キャップを液体容器にねじ込むためのネジ山を含んでも良い。
【００３８】
本発明による密閉キャップを使用する際に容易な取扱い及び最適な投与性能を確保するために、本発明による密閉キャップの受取体積内での受け取りを企図する発出体（例えばタブレット）を提供する。
【００３９】
発出体の受取体積内での収納を確保するために、発出体の体積は、受取体積の体積を超えてはならない。
【００４０】
液体と接触した場合、飲料を作るため、又は香味料及び／又は栄養素及び／又は栄養補助食品及び／又は医療用化合物を放出し液体と混合するために、発出体は、飲料を生産／又は香味料及び／又は栄養素及び／又は栄養補助食品及び／又は医療用化合物を放出するための少なくとも１つの水溶性要素を含んでも良い。栄養素は、炭水化物、ミネラル、及びビタミンを含む。複数の炭水化物、ミネラル及びビタミンが放出した場合、スポーツドリンクを作ることができる。
【００４１】
受取体積内に少なくとも１つの発出体が収納された場合、液体は飲むときに発出体を濯ぎ流し、液体に物質、特に香味料及び／又は栄養素及び／又は栄養補助食品及び／又は医療用化合物を放出し得る。すなわち、使用者に実際に飲まれる直前に液体と混合してしまう。多くの場合、液体中の望まれる物質の過密を回避することができる。
【００４２】
ここで注目すべきは、飲んだ後にボトルを置いた場合、一般に、液体の特定部分は受取体積からボトルに戻ってしまう。この際、前記物質の特定部分がボトルに残存している液体へ移動し得る。このことは、発出体又はその発出特性を構成する段階で考慮しなければならない。
【００４３】
水溶性要素の空間的に安定な配置、また水溶性要素が密閉キャップの通過開口部に進入しないように関与する配置を確保するために、水溶性要素を例えば発出体の体積を少なくとも部分的に占めるスポンジに配置しても良い。従って、発出体は、スポンジ、望ましくはプラスチックスポンジを含んでも良い。当該プラスチックスポンジは、液体が、例えば粗く織られた繊維からなるスポンジ織物によって、水溶性要素まで容易に到達するように構成しても良い。
【００４４】
取扱いの更なる改善のために、発出体は、網状の液体浸透性織物、特に発出体を受取体積内にぴったり収めるガーゼを含んでも良い。このように安定化させた発出体形態では、特に飲んだ後、つまり水溶性要素が既に完全に又は少なくとも部分的に溶解した後でも発出体を簡便及び便利に取り換えることができる。発出体形態の特に良い安定化と簡便な生産性を同時に確保するために、前記網状の織物を発出体の外面に配置する。
【００４５】
飲料を調合するときに実質的に天然の物質を使用するために、前記少なくとも１つの水溶性要素は、発出体の体積内に収納されていて、表面が水溶性層によって形成され、内部に香味料及び／又は栄養素及び／又は栄養補助食品及び／又は医療用化合物を含有するシロップ又は茶等の物質が充填されている球であっても良い。ここで、水溶性層は、水溶性のグレーズ、特に砂糖グレーズから形成され、化学物質の回避に関与する。
【００４６】
物質、特に香味料及び／又は栄養素及び／又は栄養補助食品及び／又は医療用化合物の配達の時間進行を、異なるグレーズ層厚さの複数の球によって実現する。それら球の中で最も薄いグレーズ層厚さの球は前記物質を先に放出し、それに対して、より厚いグレーズ層厚さの球はいまだ物質を放出しない。もともと厚いグレーズ層厚さの球は後期に、例えばもともと薄いグレーズ層厚さの球中の物質が消費された時点で、初めて含有する物質を放出する。
【００４７】
それらは、例えば以前のものと同じ物質であっても良い。それによって、液体中のそれら物質の常に一定な密度を実現する。但し、球には異なる物質を含んでも良い。このように、例えば最初にフルーツ味の飲料、後にスポーツドリンクを提供することができる。このおかげで、運動選手は１つの液体容器のみを携帯することで時間とともに異なる飲料を飲むことができ、そこにはスポーツドリンクも含まれている。
【００４８】
最後に、本発明による密閉キャップ及び液体容器は、飲料を簡便に生産し、又は液体に香味料及び／又は栄養素及び／又は栄養補助食品及び／又は医療用化合物を添加することを可能にするシステムと見做される。
【００４９】
以下、実施形態を参照して本発明をより詳しく説明する。図面はあくまでも例示的に本発明の思想を説明するものであって、決して本発明の思想を限定又は最終的に開示するものではない。
【図面の簡単な説明】
【００５０】
図面において、
【図１】は、滑動部として形成された開放した密閉要素（開放状態の入り口）を含む、本発明による密閉キャップの不等角投影図、
【図２】は、図１に示される密閉キャップの上面図、
【図３】は、密閉状態の密閉要素（密閉状態の入り口）を含む図１に示された密閉キャップの不等角投影図、
【図４】は、開放状態の密閉要素（開放状態の入り口）を含む図１に示された密閉キャップの側面図、
【図５】は、開放状態の密閉要素（開放状態の入り口）と開放状態のマウスピースを含む図１に示された密閉キャップの、図２に示される交線Ａ−Ａによる断面図、
【図６】は、密閉状態の密閉要素（密閉状態の入り口）と密閉状態のマウスピースを含む図５に従う断面図、
【図７】は、密閉状態の密閉要素（密閉状態の入り口）と開放状態のマウスピースを含む図５、６に従う断面図、
【図８】は、密閉縁を含む図５に示された詳細Ｂ、
【図９】は、捩じり付け可能な密閉要素（密閉状態の入り口）を含む、本発明による密閉キャップの不等角投影図、
【図１０】は、開放状態のマウスピースを含む図９に示された密閉キャップの、図１２に示される交線Ａ−Ａによる断面図、
【図１１】は、密閉状態のマウスピースを含む図９に示された密閉キャップの、図１２に示される交線Ａ−Ａによる断面図、
【図１２】は、図９に示される密閉キャップの上面図を示している。
【発明を実施するための形態】
【００５１】
図１は、開放状態の密閉要素１（開放状態の入り口２）、つまり滑動部を含む密閉キャップを示している。滑動部１は、密閉キャップの外装表面３に沿って、つまり図示されている開かれた位置より開放位置へ移動可能である。滑動部１は、環状要素、より詳しくは実質的にシリンダー・ジャケットとして構成され、それゆえに密閉キャップ全体を取り囲んでいる。また滑動部１は、密閉縁４上に被せ、密閉縁４に嵌め込んだ後に入り口２を液密に密閉する程度以上の弾力性がある。弾性及び環状構成のおかげで、滑動部は、入り口２を液密に密閉させ、径方向変形に対するプレテンションを備えている。図１では、入り口２の縁で縦軸５に対して垂直に外装表面３の円周方向に伸びている底部の密閉縁４のみが見えている。上部の密閉縁４は、同様に入り口２の縁で縦軸５に対して垂直に外装表面３の円周方向に伸びて、滑動部１に覆われている。
【００５２】
滑動部１を、密閉キャップの縦軸５と平行に伸びている滑り軸方向へ案内するために、滑動部１の内面にプロファイル・レール６を配置し、それらが、密閉キャップの外装表面３の外面に位置する（図示されていない）相手部分と作用している。従って、プロファイル・レールは、縦軸５と平行に構成されている。
【００５３】
密閉キャップは、図１に示している開放位置のマウスピース７を含む。この位置では、密閉キャップは、密閉キャップの底面で固定されたボトル中の液体に対し透過性を有するゆえに、使用者はボトルから液体を飲むことができる。マウスピース７を縦軸５と平行に下方へ動かすことによって、マウスピース７を開放より密閉位置へ移動させることができる（図６参照）。ここでは液密の平面として構成された受取要素８は、マウスピース７の底面によって密閉可能であってそれゆえに受取要素８を介して液体が受取体積２０（図６参照）まで到達されない開口部９を有する。
【００５４】
受取要素８は、少なくとも円軌道の全ての点において密閉キャップの内壁と接触している。発出体（例えばタブレット）は、受取要素８に位置しても良い。密閉キャップは、少なくとも１つの発出体を受取体積２０内に導入又は当該発出体を受取体積２０から除去するための入り口２を含む。
【００５５】
ボトルから流れ出ている液体が開口部９を介してマウスピース７まで直接に到達しないために、マウスピース７を少なくとも部分的に取り囲むバッフル板１４が構成され、この構成によって、開口部９より流れ込んでいる液体は、当該バッフル板１４を迂回し、発出体が収納されている受取体積２０を通過しなければならない。ここで、バッフル板１４は、凡そ密閉キャップの中心（縦軸５）まで延び、受取体積２０の直径に対応する直線の縁１６にて終端している。
【００５６】
ここで、バッフル板１４は、マウスピースに対し垂直に構成されている。バッフル板１４は平面であり液体不透過性である。但し、液体の一部がバッフル板１４を通過するために、バッフル板１４に、突破口を部分的に配置することも考えられる。それは特に、バッフル板１４が密閉キャップ又は受取体積２０の大部分の横断面を（縦軸５に対して垂直に）覆っている場合に有利である。何故ならば、発出体のバッフル板１４上に置かれる部分にも液体を下方より直接供給できるからである。
【００５７】
滑動部１は、滑動部１のより良い作動のために、特定の表面構造、ここでは隆起した輪１２を有している。
【００５８】
図２のように、マウスピース７は密閉キャップの最も縁の方に配置されている。この構成のおかげで、発出体用に最大限広い、切れ目のない受取体積を実現できる。また多くの場合、マウスピース７は異なる場所、例えば縦軸５の前後、特に縦軸５と同心に配置しても良い。
【００５９】
図３のように、滑動部１は密閉位置にあるゆえに、入り口２を密閉している。また、マウスピース７も密閉位置にある。
【００６０】
図４は、開放状態の滑動部１を含む図１に示された密閉キャップの側面図である。マウスピース７において、液体が受取体積２０よりマウスピース７まで通過する二つの側面開口部１５が見えている。それら開口部１５は、通常、液体がマウスピース７に流れ込む前に受取体積のできるだけ多くを通過するために、バッフル板１４の縁１６よりできるだけ遠くに配置すべきである。また、マウスピース７の底部周囲に位置し、バッフル板１４と一体化して構成されても良いガイド１７が見えている（図５〜７参照）。
【００６１】
図５は、開放状態の滑動部１と開放状態のマウスピース７を含む図１に示された密閉キャップの、図２に示される交線Ａ−Ａによる断面図である。密閉キャップは、その底部において密閉キャップの縁１８と受取要素８の間にネジ山１３が配置され、そのネジ山１３でボトルに密閉キャップを捩じり付けることが出来る。
【００６２】
滑動部１の滑り軸及びマウスピース７の滑り軸は、お互い平行に伸び、かつ密閉キャップの縦軸５と平行に伸びている（図１参照）。
【００６３】
受取体積２０（図６も参照）は実質的に円筒状である。受取体積２０は、受取要素８、密閉キャップのジャケット（その外装表面３が図示されている）、滑動部１、及び密閉キャップのジャケットと液密に接続しているカバープレート１０から形成されている。カバープレート１０は注出口１１以外液密である。ここで、カバープレート１０は平面層として構成され、その上、ここで実質的に円筒状の、マウスピース７をその上部において取り囲んでいるガイド１９を形成している。
【００６４】
この際、受取要素８はネジ山１３に向く密閉キャップ側にあって、それに対して、カバープレート１０はマウスピース７に向く密閉キャップ側にある。
【００６５】
滑動部１が上方に移動し過ぎないように、滑動部１の最も上部（開放）位置に到達すると密閉キャップの対応要素により保持される突起を滑動部１の底面上に形成しても良い。
【００６６】
マウスピース７は、実質的に受取要素８に向かって下方に閉じられている中空シリンダーとして形成されている。その構成によって、液体は、マウスピースの開放又は密閉位置にかかわらず、直接に密閉キャップの縦方向にマウスピース７内に流れ込むことができない。また、マウスピース７の底面は、密閉位置で開口部９（ここでは開口部９のみ）を密閉するように構成されている。この実施形態では、マウスピース７の底面の直径がマウスピースの他の部分の直径より小さい。図５に示されるマウスピース７の開放位置では、マウスピース７の底部は、バッフル板１４の底面と同じ高さにある。
【００６７】
新たな発出体を入り口２を介して受取要素８に置くとき、又は（部分的に）消費された発出体を受取要素８より除去するとき、図５に示される状態が設定される。
【００６８】
図６は図５と似た断面図であるが、図６においてはマウスピース７と滑動部１が密閉位置にある。この密閉キャップの状態は、密閉キャップ付きボトルの携帯時に液体と受取体積内に含有される発出体２０の接触を防ぐために設定される。
【００６９】
図７は、図５と似た断面図であるが、図７においては、マウスピース７は開放位置に、それに対して滑動部１は密閉位置にある。この密閉キャップの状態は、使用者がこの密閉キャップ付きボトルから飲もうとするときに設定される。この場合、液体は、マウスピース７の飲み開口部２２より上方へ流出する。
【００７０】
図８は図５に示される詳細Ｂ、つまり底部の密閉縁４の構成を示している。図のように、密閉縁４は、第一に半径方向に外装表面３よりも突き出て、第二に受取要素８の上面よりも突き出て、第三に内側の受取要素８の上面に対する窪み２１を含んでいる。上部の密閉縁４は同様に構成しても良いが、そうすると上部の密閉縁４はカバープレート１０の底面よりも突き出る。密閉状態で、滑動部１は滑動部１の滑り軸に対して垂直に伸びている密閉縁４両方に嵌まる。滑動部１は、密閉縁４が嵌まる窪みを含んでも良い。
【００７１】
密閉キャップの（外装表面３を含む）ジャケット、受取要素８、カバープレート１０、及びバッフル板１４は、図示の実施形態において一体化してなり、例えばプラスチック製で、射出成形法によって生産されても良い。
【００７２】
図示の実施形態において、基本的に、発出体は、入り口２を介して直接に受取体積２０内に置かれる代わりに、取り外し可能（例えば引き出しの様に引き出し可能）で、入り口２を介して受取体積２０に導入及び受取体積２０より除去可能な収納要素に置かれても良い。この場合、収納要素は受取要素８上に位置する。収納要素は、明らかに液体透過性、例えば少なくとも部分的に格子状の構造を有すべきである。
【００７３】
当然ながら、基本的に、ＰＣＴ／ＥＰ２０１３／０７１２７６に開示される密閉キャップ全てを関連するマウスピースを導入可能にするために変更しても良い。この際、特に受取要素は、本発明によるマウスピースが受取要素を密閉可能な場所のみにおいて、液体透過性を有すべきである。さらに、場合によって、本発明によるカバープレートは、保持要素の代わりをすべきである。
【００７４】
図９〜１２は、密閉要素２３の実施形態の代案として、ネジ山を使用して密閉キャップのベース部２４に捩じり付可能なものを示している。このために、密閉要素２３はその内面にネジ山２６を含み、ベース部２４はその外面に密閉要素２３のためのネジ山２７を含んでいる。カバープレート１０とそれに形成された注出口１１を含むシリンダー・ジャケットを一体化して構成しているため、密閉要素２３は帽状であって、ベース部２４はシリンダー・ジャケット状に形成されている。ベース部２４は、ネジ山１３を介して液体容器に捩じり付け可能である。
【００７５】
密閉要素２３は注出口１１内にマウスピース７を収納し、ベース部２４はネジ山１３とネジ山２７の間に、ここでは密閉キャップの縦軸方向に受取要素８を有している。
【００７６】
蓋２５は接続部を介して密閉要素２３と接続し、マウスピース７は密閉状態で密閉要素２３より外方へ突き出ている際蓋２５を使用して覆われることができる。蓋２５は、密閉状態で外装表面３に一定の拡張を与え、つまり密閉要素２３の外表面と隣接しても良い。密閉要素２３の外表面は、ベース部２４の外表面へと連続的に変遷し、つまり密閉要素２３及びベース部２４は、お互いの接触点において外径が同じである。
【００７７】
図１０は、開放位置のマウスピース７を示している。この位置では、密閉キャップは密閉キャップの底面で取り付けているボトル中の液体に対して液体透過性であるゆえに、使用者はボトルから飲むことが出来る。マウスピース７は、マウスピース７を縦軸５と平行に下方に動かすことによって開放位置から密閉位置へ移動されることができる（図１１参照）。ここで液密の平面として形成された受取要素８は、マウスピース７の底面によって密閉可能であって、それゆえに受取要素８を介して液体が受取体積２０まで到達されない開口部９を含む。
【００７８】
ここで、受取要素８は、少なくとも円軌道の全ての点において密閉キャップの内壁と接触している。発出体（例えばタブレット）は、受取要素８に位置しても良い。密閉キャップは、少なくとも１つの発出体を受取体積２０内に導入又は当該発出体を受取体積２０から除去するための入り口２を含む。入り口２は、ベース部２４の上開口部、つまりネジ山１３より外方に向くベース部２４の末端周囲（ここでは円形開口部）によって形成されている。
【００７９】
マウスピース７は、ここでは中心に配置しているが、図１〜８のように密閉キャップの縁に配置しても良い。マウスピース７は、図１〜８のように二つの開口部１５を有している。しかし、ガイド１７は、図９〜１２のように、マウスピース７の底部において密閉要素２３と一体化してなる。また、バッフル板１４をガイド１７の周囲において、特にガイド１７と一体化して配置しても良い。バッフル板１４は、ガイド１７に隣接し、円状かつ縦軸５に対して垂直に形成しても良い。
【００８０】
受取体積２０は、ここでも実質的に円筒状であり、受取要素８、ベース部のジャケットと、一体的な密閉要素２３の構成要素であるカバープレート１０によって構成されている。カバープレート１０は、注出口１１以外液密であり、ここでは平面層として形成され、ここでさらにマウスピース７をその上部において取り囲み実質的に円筒状なガイド１９を形成している。
【００８１】
図１０に示される密閉キャップの状態では飲むことができるが、図１１に示される密閉キャップの状態では密閉キャップが液密に密閉されている。
【００８２】
発出体を密閉キャップ内に入れ、又は密閉キャップより除去するような受取体積２０へのアクセスを生成するために、密閉要素２３をベース部２４から捩じり外してカバープレート１０を外さなければならない。この際、密閉キャップは、ネジ山１３を使用して液体容器上に捩じり付けることができる。
【００８３】
密閉要素２３を捩じり外した場合に失くさないように、密閉要素２３をベース部２４に対して更に、例えばバンドによって固定しても良い。
【符号の説明】
【００８４】
１  密閉要素（滑動部）
２  入り口
３  密閉キャップの外装表面
４  密閉縁
５  密閉キャップの縦軸
６  プロファイル・レール
７  マウスピース
８  受取要素
９  受取要素の開口部
１０  カバープレート
１１  注出口
１２  輪
１３  ネジ山
１４  バッフル板
１５  マウスピース７の開口部
１６  バッフル板１４の縁
１７  マウスピース７の底部周囲のガイド
１８  密閉キャップの縁
１９  マウスピース７の上部周囲のガイド
２０  受取体積
２１  密閉縁４の窪み
２２  マウスピース７の飲み開口部
２３  密閉要素（捩じり付け可能）
２４  密閉キャップのベース部
２５  蓋
２６  密閉要素２３のネジ山
２７  密閉要素２３用のネジ山
以下に、出願当初の特許請求の範囲に記載の事項を、そのまま、付記しておく。
［１］  液体容器、望ましくはボトル、より望ましくはＰＥＴボトル付着用の密閉キャップ、望ましくはネジ蓋であって、前記密閉キャップは注出口（１１）、望ましくは再密閉可能な注出口と、少なくとも１つの発出体を受け取る受取体積（２０）を前記密閉キャップと共に形成する受取要素（８）を含み、前記密閉キャップが開閉可能であり、それゆえに前記受取体積（２０）に通じた入り口（２）であって前記少なくとも１つの発出体を前記受取体積（２０）に導入又は前記受取体積（２０）より除去するための入り口（２）が形成され、前記受取要素（８）は前記少なくとも１つの発出体が液体と接触するのを許容するために、液体に対して透過性であり、前記密閉キャップと接続している密閉要素（１、２３）であって前記入り口（２）を液密密閉又は密閉解除するための密閉要素（１、２３）が更に備えられており、前記注出口（１１）内にはマウスピース（７）であって、液体が前記受取要素（８）を介して前記受取体積（２０）に入り込まないように密閉位置で前記受取要素（８）を液密に密閉すると共に、液体が前記受取要素（８）、前記受取体積（２０）、及び前記マウスピース（７）を通過するように開放位置で前記受取要素（８）を開放するマウスピース（７）が、中空体として形成されていることを特徴とする、密閉キャップ。
［２］  前記マウスピース（７）が前記受取要素（８）に面した側において密閉され、それゆえに液体が前記マウスピース（７）の密閉状態で前記受取要素（８）を介して前記マウスピース（７）に流れ込まず、前記マウスピース（７）は前記受取体積（２０）内へ突き出ている他の部分において少なくとも１つの開口部（１５）を有し、それゆえに液体が前記受取体積（２０）より前記マウスピース（７）へ流れ込むことを特徴とする、［１］に記載の密閉キャップ。
［３］  前記マウスピース（７）が前記受取要素（８）に対して滑り軸に沿って移動可能であることを特徴とする、［１］又は［２］に記載の密閉キャップ。
［４］  前記マウスピース（７）を少なくとも部分的に取り囲むバッフル板（１４）であって、液体が前記マウスピース（７）の開放位置で前記受取体積（２０）より前記マウスピース（７）へ流れ込む前記マウスピース（７）の前記開口部（１５）よりも前記受取要素（８）の方に位置するバッフル板（１４）を、前記受取体積（２０）内に配置することを特徴とする、［１］〜［３］の何れか一項に記載の密閉キャップ。
［５］  前記マウスピース（７）が、前記受取体積（２０）の縁に配置されていることを特徴とする、［１］〜［４］の何れか一項に記載の密閉キャップ。
［６］  前記受取要素（８）が平面として形成されていることを特徴とする、［１］〜［５］の何れか一項に記載の密閉キャップ。
［７］  前記密閉要素（１）が密閉キャップの外装表面（３）の一部として形成され、前記入り口（２）を稼働位置で密閉することを特徴とする、［１］〜［６］の何れか一項に記載の密閉キャップ。
［８］  前記入り口（２）及び前記受取体積（２０）に対応する収納要素であって、前記入り口（２）を介して前記受取体積（２０）内に導入され前記受取要素（８）上に置かれる、発出体のための引き出し可能な収納要素を含むことを特徴とする、［１］〜［７］の何れか一項に記載の密閉キャップ。
［９］  前記密閉要素（１）が密閉キャップの外装表面（３）に沿って移動可能な滑動部として形成されていることを特徴とする、［１］〜［８］の何れか一項に記載の密閉キャップ。
［１０］  前記滑動部が少なくとも１つのプロファイル・レール（６）によって密閉キャップに対して移動可能であることを特徴とする、［９］に記載の密閉キャップ。
［１１］  前記滑動部が密閉キャップの全周囲を取り囲むことを特徴とする、［９］又は［１０］に記載の密閉キャップ。
［１２］  前記滑動部がシリンダー・ジャケットとして形成されていることを特徴とする、［１１］に記載の密閉キャップ。
［１３］前記滑動部が密閉状態で、密閉キャップの前記滑動部の滑り軸に対して垂直に伸びている密閉縁（４）に嵌まることを特徴とする、［９］〜［１２］の何れか一項に記載の密閉キャップ。
［１４］  前記滑動部を前記密閉縁（４）上に被せ前記密閉縁（４）に嵌め込んだ後に前記入り口（２）を液密に密閉するために、前記滑動部が弾性材料からなることを特徴とする、［９］〜［１３］の何れか一項に記載の密閉キャップ。
［１５］  前記滑動部の滑り軸及び前記マウスピース（７）の滑り軸が平行に伸びていることを特徴とする、［９］〜［１４］の何れか一項に記載の密閉キャップ。
［１６］  前記密閉要素（２３）をネジ山で前記密閉キャップのベース部（２４）と捩じり付けることを特徴とする、［１］〜［８］の何れか一項に記載の密閉キャップ。
［１７］  前記密閉要素（２３）が前記マウスピース（７）が形成されている前記注出口（１１）を含み、前記ベース部（２４）が前記受取要素（８）を含むことを特徴とする、［１６］に記載の密閉キャップ。
【図１】
0006396511.tif 000002
【図２】
0006396511.tif 000003
【図３】
0006396511.tif 000004
【図４】
0006396511.tif 000005
【図５】
0006396511.tif 000006
【図６】
0006396511.tif 000007
【図７】
0006396511.tif 000008
【図８】
0006396511.tif 000009
【図９】
0006396511.tif 000010
【図１０】
0006396511.tif 000011
【図１１】
0006396511.tif 000012
【図１２】
0006396511.tif 000013